(57)【要約】【課題】不適切な画像データが誤って診断に用いられることを防ぐ。【解決手段】表示管理部３０７は、被写体を透過した放射線を放射線検出器１１において検出することにより生成される第１の画像データと第１の画像データに対して所定の画像処理が施されることにより生成される第２の画像データとを異なる表示態様で表示させる。【選択図】図１
2014171532.tif 000002
【特許請求の範囲】
【請求項１】
被写体を透過した放射線を放射線検出手段において検出することにより生成される第１の画像データと、前記第１の画像データに対して所定の画像処理が施されることにより生成される第２の画像データとを異なる表示態様で表示手段において表示させる表示制御手段を有することを特徴とする表示制御装置。
【請求項２】
前記表示制御手段は、前記第２の画像データの表示の際には表示されない所定の情報を、前記第１の画像データの表示の際には表示させることを特徴とする請求項１に記載の表示制御装置。
【請求項３】
前記所定の情報は、前記第１の画像データの撮影処理に係る情報、前記第１の画像データに対する前記所定の画像処理に係る情報、及び、前記第２の画像データの入力処理に係る情報のうちの少なくとも何れか一つを含むことを特徴とする請求項２に記載の表示制御装置。
【請求項４】
前記第１の画像データの撮影処理に係る情報、及び、前記第１の画像データに対する前記所定の画像処理に係る情報のうちの少なくとも何れか一つは、予め前記第１の画像データに対応して定められた時間に基づいて生成される情報であり、前記第２の画像データの入力処理に係る情報は、前記第２の画像データを入力したデータ量に基づいて生成される情報であることを特徴とする請求項３に記載の表示制御装置。
【請求項５】
前記表示制御手段は、前記第１の画像データの表示の際と前記第２の画像データの表示の際とでネガポジを反転させることを特徴とする請求項１に記載の表示制御装置。
【請求項６】
前記表示制御手段は、前記第１の画像データの表示の際と前記第２の画像データの表示の際とで背景色を反転させることを特徴とする請求項１に記載の表示制御装置。
【請求項７】
前記第１の画像データの表示の際において、前記第１の画像データに対する所定の画像処理を禁止する制御手段をさらに有することを特徴とする請求項１乃至６の何れか１項に記載の表示制御装置。
【請求項８】
前記制御手段は、前記第１の画像データの表示の際において、前記第１の画像データの再撮影を許可することを特徴とする請求項７に記載の表示制御装置。
【請求項９】
表示制御装置によって実行される表示制御方法であって、
被写体を透過した放射線を放射線検出手段において検出することにより生成される第１の画像データと、前記第１の画像データに対して所定の画像処理が施されることにより生成される第２の画像データとを異なる表示態様で表示手段において表示させる表示制御ステップを有することを特徴とする表示制御方法。
【請求項１０】
被写体を透過した放射線を放射線検出手段において検出することにより生成される第１の画像データと、前記第１の画像データに対して所定の画像処理が施されることにより生成される第２の画像データとを異なる表示態様で表示手段において表示させる表示制御ステップをコンピュータに実行させるためのプログラム。
【請求項１１】
放射線を検出して放射線画像を得る放射線撮影部から画像を受信する画像処理装置であって、
前記放射線撮影部から前記放射線画像データについての第１の画像を受信した後に、前記放射線画像データについての前記第１の画像よりも解像度の高い第２の画像を受信する受信手段と、
前記第２の画像を画像処理して処理の後の画像を得る画像処理手段と、
前記放射線画像の撮影開始から前記第２の画像の画像処理が完了するまでの前記放射線撮影部及び制御装置のうちの少なくとも何れかの処理の進捗を示す進捗表示を前記第１の画像とともに表示部に表示させ、加えて、前記第２の画像に対する画像処理が完了することに応じて、前記進捗表示及び前記第１の画像の表示を中止し、前記第２の画像を表示させる表示制御手段と、
を有することを特徴とする画像処理装置。
【請求項１２】
前記表示制御手段は、前記進捗表示を前記第１の画像に重畳して表示させることを特徴とする請求項１１に記載の画像処理装置。
【請求項１３】
前記表示制御手段は、前記第１及び第２の画像の少なくともいずれかについて前記受信手段が受信したデータ量に応じて表示が変化するプログレスバーを前記進捗表示として表示部に表示させることを特徴とする請求項１１または１２に記載の画像処理装置。
【請求項１４】
前記表示制御手段は、前記第１及び第２の画像の少なくともいずれかについての前記画像処理手段による画像処理の進捗に応じて表示が変化するプログレスバーを前記進捗表示として表示部に表示させることを特徴とする請求項１１乃至１３のいずれか１項に記載の画像処理装置。
【請求項１５】
前記受信手段は、前記放射線撮影部により得られた暗電流データとの差分処理を経ていない画像データである前記第１の画像と、前記放射線撮影部により得られた暗電流データとの差分処理を経た画像データである前記第２の画像と、を受信することを特徴とする請求項１１乃至１４のいずれか１項に記載の画像処理装置。
【請求項１６】
請求項１１乃至１５のいずれか１項に記載の画像処理装置と、
無線通信手段及び有線通信手段を接続することが可能なコネクタを有し、前記放射線画像を前記無線通信手段及びコネクタを介して前記画像処理装置に転送することが可能な放射線撮影部と、
を有することを特徴とする放射線撮影システム。
【請求項１７】
放射線撮影部から放射線画像データについての第１の画像を受信するステップと、
前記放射線画像データについての前記第１の画像よりも解像度の高い第２の画像を受信するステップと、
前記受信された第２の画像を画像処理して処理の後の画像を得るステップと、
前記放射線画像の撮影開始から前記第２の画像の画像処理が完了するまでの前記放射線撮影部及び制御装置のうちの少なくとも何れかの処理の進捗を示す進捗表示を前記第１の画像とともに表示部に表示させるステップと、
前記第２の画像に対する画像処理が完了することに応じて前記進捗表示及び前記第１の画像の表示を終了させるステップと
前記第２の画像に対する画像処理が完了することに応じて前記処理の後の画像を表示させるステップと、
を有することを特徴とする画像処理方法。
【請求項１８】
請求項１７の画像処理方法をコンピュータに実行させるためのプログラム。
【発明の詳細な説明】
【技術分野】
【０００１】
本発明は、被写体を透過した放射線を検出することにより生成される画像データを表示する技術に関するものである。
【背景技術】
【０００２】
近年、蛍光体と大画面用の固体撮像素子とを密着させて形成された放射線センサ、いわゆる、フラットパネルディテクタ（ＦＰＤ）を用いて、放射線像を直接デジタル化して放射線画像データを生成する放射線撮影システムが実用化されてきている。このようなデジタル方式を採用した放射線撮影システムは、従来のアナログ方式の放射線撮影システムに置き換わって広く使われてきている。
【０００３】
デジタル方式を採用した放射線撮影システムにより、撮影された放射線画像データを確認するまでの時間は短縮された。その一方で、画像データの高解像度化が進んでいるため、放射線画像データを撮影してから表示するまでに要する時間の増大、つまり、表示遅延が生じやすくなる傾向にある。その結果、撮影時の露光が適正であったか、又は、部位を的確な角度で撮影したか等の撮影状態を確認することが遅れることになる。そのため、撮影の失敗等が起こった場合、Ｘ線検査のワークフローを乱すことがあった。撮影結果が早期に確認できれば、再撮影の必要性等の判定を早急に下すことができ、Ｘ線検査のワークフローを良好に保つことができる。
【０００４】
このような観点から、特許文献１には、放射線画像システムにおいて、放射線画像データの情報量を削減することにより得られる圧縮画像データを、速やかにプレビュー表示させる技術が開示されている。また、特許文献２には、撮影された放射線画像データを、オフセット補正終了前に速やかにプレビュー表示させる技術が開示されている。
【先行技術文献】
【特許文献】
【０００５】
【特許文献１】特開２００９−４５４３０号公報
【特許文献２】特開２００６−２６０８３号公報
【発明の概要】
【発明が解決しようとする課題】
【０００６】
特許文献１及び２に開示される技術は何れも、撮影後、速やかにプレビュー表示させることが可能である。しかしながら、情報量を削減させている、或いは、適切な補正処理を行っていない等、再撮影の必要性の判定に用いるには十分であるが、診断に用いるには好ましくない画像データが表示されてしまい、誤って診断に用いられてしまう危険性がある。
【０００７】
そこで、本発明の目的は、不適切な画像データが誤って診断に用いられることを防ぐことにある。
【課題を解決するための手段】
【０００８】
本発明の表示制御装置は、被写体を透過した放射線を放射線検出手段において検出することにより生成される第１の画像データと、前記第１の画像データに対して所定の画像処理が施されることにより生成される第２の画像データとを異なる表示態様で表示手段において表示させる表示制御手段を有することを特徴とする。
【発明の効果】
【０００９】
本発明によれば、不適切な画像データが誤って診断に用いられることを防ぐことが可能となる。
【図面の簡単な説明】
【００１０】
【図１】本発明の第１の実施形態に係る放射線撮影システムの概略構成の一例を示す模式図である。
【図２】本発明の第１の実施形態に係る放射線撮影システムの各装置の構成を示すブロック図である。
【図３】第１の実施形態における放射線画像撮影装置の動作を示すフローチャートである。
【図４】第１の画像データとともに表示されるプログレスバーの一例を示す図である。
【図５】第１の画像データの表示例を示す図である。
【図６】第２の実施形態における表示部の表示画面の一例を示す図である。
【図７】第１の実施形態における表示管理部の詳細な構成を示す図である。
【図８】第１の実施形態における制御用ＰＣの動作を示すフローチャートである。
【図９】本発明の第１の実施形態に係る放射線撮影システムの概略構成の他の例を示す模式図である。
【図１０】第２の実施形態における表示管理部の詳細な構成を示す図である。
【図１１】第１の画像データとともに表示されるプログレスバーの他の例を示す図である。
【図１２】本発明の放射線画像撮影装置の構成の一例を示すブロック図である。
【発明を実施するための形態】
【００１１】
以下、本発明を適用した好適な実施形態を、添付図面を参照しながら詳細に説明する。
【００１２】
先ず、本発明の第１の実施形態について説明する。図１は、本発明の第１の実施形態に係る放射線撮影システムの構成の一例を示す模試図である。図１において、１０１は放射線に反応して放射線画像データを生成する放射線画像撮影装置、１１２は放射線画像撮影装置に電力を供給するためのバッテリー、１０９は無線ＬＡＮ通信を行うための無線通信部、３０１は放射線画像撮影装置及び放射線発生装置の制御や画像処理を行う制御用ＰＣ、２０１は放射線画像撮影装置１０１と無線通信を行うためのアクセスポイント、３１４はアクセスポイント２０１と制御用ＰＣ３０１を有線接続する接続ケーブル、３２０は制御用ＰＣ３０１を接続する院内向けＬＡＮ等の基幹ネットワーク、３０９は操作パネル、３１０は撮影、画像処理された放射線画像データの表示やＧＵＩの表示に利用されるディスプレイ、３１１は放射線照射スイッチ、３１２は操作者、３１６は患者、４０１は放射線制御装置、４０２は放射線発生装置、４０３は制御用ＰＣ３０１と放射線制御装置４０１を有線接続する接続ケーブルである。なお、放射線画像撮影装置１０１は、放射線撮影部の例である。
【００１３】
次に、各装置の詳細な構成について図２のブロック図を用いて説明する。
放射線撮影システムは、放射線画像撮影装置１０１、放射線制御装置４０１、放射線発生装置４０２、アクセスポイント２０１、制御用ＰＣ３０１、操作パネル３０９、ディスプレイ３１０及び、放射線照射スイッチ３１１より構成されている。なお、ディスプレイ３１０は、表示部の例である。
【００１４】
Ｘ線検出装置１０１は、被写体を透過した放射線（Ｘ線等）を撮像素子で撮影することにより、当該被写体のＸ線画像データを取得する。
【００１５】
放射線画像撮影装置１０１は、ＣＰＵ１１０、メモリ１１１、光電変換素子１０２、駆動回路１０３、Ａ／Ｄ変換回路１０４、駆動制御回路１０５、動作モード制御回路１１３、機能情報メモリ１１４、暗号処理回路１０８、無線通信回路１０９、電源制御回路１１２で構成されている。
【００１６】
ＣＰＵ１１０は、メモリ１１１に格納されたプログラムや各種のデータを用いて、放射線画像撮影装置１０１全体の制御を行う。メモリ１１１は、例えば、ＣＰＵ１１０が処理を実行する際に用いるプログラムや各種のデータを保存する。また、メモリ１１１には、ＣＰＵ１１０の処理により得られた各種のデータ及び、撮影した画像データが保存される。光電変換素子１０２は、２次元状に複数の画素が配設されて構成されており、アモルファスシリコンを主材料として形成されている。光電変換素子１０２は、可視光に変換された放射線を受光して放射線画像信号として検出する。
【００１７】
駆動回路１０３は、光電変換素子１０２の駆動を行う。駆動回路１０３により光電変換素子１０２を駆動して放射線画像信号を読み出す処理を行う。光電変換素子１０２は、駆動回路１０３により電荷を蓄積する蓄積状態及び、電荷を蓄積しない状態に制御される。電荷を蓄積しない状態としては、例えば、光電変換素子１０２に電圧を印加しないスリープ状態、光電変換素子１０２に電圧を印加するセンサ待機状態及び、光電変換素子１０２を駆動して放射線画像信号を読み出すセンサ読み出し状態がある。
【００１８】
Ａ／Ｄ変換回路１０４は、駆動回路１０３により読み出されたアナログ信号の放射線画像信号をデジタル信号の放射線画像信号に変換し、放射線画像データとしてメモリ１１１に格納する。駆動制御回路１０５は、動作モード制御回路１１３からの指示に基づいて、駆動回路１０３の制御を行う。
【００１９】
動作モード制御回路１１３は、制御用ＰＣ３０１からのコマンドにより指定された動作モードに従い、駆動制御回路１０５の制御を行う。動作モードとしては、例えば、放射線同期モード、放射線自動検出モード等がある。
【００２０】
放射線同期モードとは、放射線照射スイッチ３１１の押下に連動して光電変換素子１０２を電荷蓄積状態に遷移させ、電荷蓄積期間中に放射線を照射するように放射線発生装置４０２と通信して放射線照射タイミングを同期させるモードである。放射線同期モードは、放射線発生装置は放射線照射スイッチの押下及び放射線照射の完了タイミングを放射線画像撮影装置に通知し、放射線画像撮影装置は電荷蓄積期間に遷移したタイミングを放射線発生装置に通知することにより、電荷蓄積期間と放射線照射タイミングを整合させる。
【００２１】
放射線自動検出モードとは、放射線照射タイミングに合わせて電荷蓄積期間に遷移するため、放射線発生装置は任意のタイミングで放射線を照射することができる。機能情報メモリ１１４は、放射線画像撮影装置１０１が対応している機能（動作モード）に関する情報が記録されている。なお、機能情報メモリ１１４は前述のメモリ１１１で代用してもよい。
【００２２】
オフセット補正回路１０６は、低ノイズの放射線画像データを得るために、放射線画像撮影装置１０１が有するダークノイズ成分（暗電流データ）をメモリ１１１に保存した放射線画像データに対してオフセットする補正を施す。
【００２３】
画像圧縮回路１０７は、生成した放射線画像データを制御用ＰＣ３０１へ高速に転送するためにメモリ１１１に保存した放射線画像データへ圧縮処理を施す。圧縮処理としては、データの間引き処理、ＪＰＥＧ形式への符号化などが挙げられる。
【００２４】
本実施形態では、画像処理回路としてオフセット補正、画像圧縮を放射線画像撮影装置１０１において行うものとしたが、その他、ゲイン補正、欠陥画素補正等の基本的な補正処理や階調補正等のユーザから要求される画像品質調整等の画像処理を含めてもよい。
【００２５】
暗号処理回路１０８は、送信時は放射線画像データ、及び放射線画像撮影装置１０１の現在の処理ステータスなどの通信データを暗号化して無線通信回路１０９に出力し、受信時は無線通信回路１０９で受信した暗号化された通信データを復号化する。
【００２６】
無線通信回路１０９は、暗号処理回路１０８から入力された暗号化通信データの送信及び、受信した通信データを暗号処理回路１０８に出力する。電源制御回路１１２は、バッテリー及びＤＣＤＣコンバータで構成され、各回路に電源を供給する。アクセスポイント２０１は、無線通信回路２０２、暗号処理回路２０３、有線通信回路２０５、ＣＰＵ２０６、メモリ２０７で構成されている。
【００２７】
ＣＰＵ２０６は、メモリ２０７に格納されたプログラムや各種のデータを用いて、アクセスポイント２０１全体の制御を行う。メモリ２０７は、例えば、ＣＰＵ２０６が処理を実行する際に用いるプログラムや各種のデータを保存する。暗号化処理回路２０３は、送信時は通信データを暗号化して無線通信回路２０２に出力し、受信時は無線通信回路２０２で受信した暗号化された通信データを復号化する。
【００２８】
無線通信回路２０２は、暗号処理回路２０３から入力された暗号化通信データの送信及び、受信した通信データを暗号処理回路２０３に出力する。有線通信回路２０５は、アクセスポイント２０１と制御用ＰＣ３０１との間で行う、各種のデータや各種の情報等の通信を司るものである。
【００２９】
ここで、暗号処理回路１０８、無線通信回路１０９及びアクセスポイント２０１を用いて、撮影した画像を無線通信で行う例を記載しているが、図９に示すように放射線画像撮影装置１０１に有線通信用のコネクタ９０１を設け、通信ケーブル９０２で制御用ＰＣ３０１と接続し、有線通信で行っても構わない。
【００３０】
制御用ＰＣ３０１は、放射線発生装置制御部３０２、撮影制御部３０３、外部記憶装置３０４、有線通信回路３０５、ＣＰＵ３１３、ＲＡＭ３０６、表示管理部３０７、操作パネル制御部３０８、動作モード設定部３１８で構成されている。
【００３１】
放射線発生装置制御部３０２は、操作者３１２からの撮影指示に基づいて、放射線発生装置４０２による放射線発生に係る制御を行う。放射線発生装置制御部３０２は、放射線照射タイミングの同期制御機能を持たないため、放射線照射スイッチ３１１が押されると、放射線画像撮影装置の状態に関係なく放射線の照射を開始する。
【００３２】
撮影制御部３０３は、操作者３１２からの撮影指示及び、動作モード設定部３１８により設定された動作モードに基づいて、放射線画像撮影装置１０１に対して放射線撮影に係る制御を行う。
【００３３】
外部記憶装置３０４は、例えばハードディスク等で構成されており、各種のプログラムや、各種のデータ或いは各種の情報等を記憶する。有線通信回路３０５は、制御用ＰＣ３０１がアクセスポイント２０１との間で行う、各種のデータや各種の情報等の通信を司るものである。通信ケーブル３１４は、アクセスポイント２０１と制御用ＰＣ３０１とを通信可能に接続するものである。ＣＰＵ３１３は、ＲＡＭ３０６に格納されたプログラムや各種のデータを用いて、制御用ＰＣ３０１全体の制御を行う。ＲＡＭ３０６は、制御用ＰＣ３０１の処理で必要な各種のデータや各種の情報等を一時的に記憶する。
【００３４】
表示管理部３０７は、ディスプレイ３１０の表示に係る各種の制御を行う。操作パネル制御部３０８は、例えば操作者３１２による操作パネル３０９の操作に従って操作パネル３０９の表示を切り替える等、操作パネル３０９に係る各種の制御を行う。
【００３５】
操作パネル３０９は、操作者３１２によって操作されるものであり、操作者３１２により入力された指示を制御用ＰＣ３０１に対して入力するものである。放射線照射スイッチ３１１は、操作者３１２によって操作されるものであり、操作者３１２がスイッチを押すことにより、放射線発生装置制御部３０２及び撮影制御部３０３に撮影指示が入力され、放射線撮影が開始される。ディスプレイ３１０は、表示管理部３０７による制御に基づいて、各種の画像や情報等を表示する。また、表示管理部３０７は、放射線画像撮影装置１０１や制御用ＰＣ３０１の処理ステータスの表示を、例えば、プログレスバー表示（進捗表示）を用いて行う。
【００３６】
ここで、本実施形態に係る放射線画像撮影装置１０１における放射線同期モードでの放射線画像データの取得処理の流れについて図３に示す放射線画像撮影装置１０１における動作のフローチャートを用いて説明する。先ず、操作者３１２により、放射線照射スイッチ３１１が押下されると、放射線発生装置４０２から患者３１６に向かい放射線が照射される。照射された放射線は、患者３１６を透過して放射線画像撮影装置１０１に入射する。
【００３７】
Ｓ３０１で放射線照射スイッチ３１１が押下された信号を、有線通信回路３０５およびアクセスポイント２０１、無線通信回路１０９を介して放射線画像撮影装置１０１で受信すると、光電変換素子１０２を電荷蓄積状態に遷移させて放射線が入射されるのを待つ。Ｓ３０２で放射線が入射されると、Ｓ３０３で放射線画像撮影装置１０１は、入射した放射線を可視光に変換し、動作モード制御回路１１３の指示に基づいて、駆動制御回路１０５、駆動回路１０３を用いて光電変換素子１０２を駆動し、放射線画像信号として検出する。Ｓ３０４で検出した放射線画像信号を読み出し、Ａ／Ｄ変換回路１０４でアナログ信号をデジタル信号に変換してデジタル形式の放射線画像データを生成する。Ｓ３０５で生成した放射線画像データをメモリ１１１に記憶する。
【００３８】
ここで、診断するのに適した品質の放射線画像データを得るためには、放射線画像撮影装置１０１が有するダークノイズの補正が必要である。但し、ユーザが被写体やその周辺の諸環境、又は、撮影の目的等により、放射線撮影システムに対して動作条件を選択して設定することがある。また、ユーザ操作の簡便化のために、放射線撮影システムにおいて自動露光等の自動制御が働き、動作条件が変動することもある。これらに伴い、放射線撮影システムの放射線画像撮影装置１０１の特性が変動する。従って、放射線画像データ撮影時の条件とほぼ同一の条件で補正用データを得るためには、放射線画像データ撮影時と時間的に近いタイミングで同一の撮影動作を行って補正用データを取得する必要がある。
【００３９】
そこで、Ｓ３０８〜Ｓ３１１で後述する放射線画像データ撮影直後に、補正用データ取得処理および補正処理を行う。また、その補正処理と並行してＳ３０６で、補正用データの取得を待つことなく、メモリ１１１に保存された未補正の放射線画像データを画像圧縮回路１０７で画像データを間引く等して情報量を圧縮する。圧縮された画像データは、Ｓ３０７で第１の画像データとして暗号処理回路１０８で暗号化された後、無線通信回路１０９からアクセスポイント２０１を介して制御用ＰＣ３０１に転送される。
【００４０】
ここで、第１の画像データは、操作者３１２に対して現在の撮影結果の概略を伝えるための所謂プレビュー画像データに相当するものであり、画質そのものよりも、放射線画像データの全体像を速やかに伝達することを目的としたものである。
【００４１】
上述した第１の画像データの転送と並行して、Ｓ３０８で放射線画像撮影装置１０１において放射線照射を伴わない暗示画像データが取得する。より具体的には、光電変換素子１０２、駆動回路１０３、Ａ／Ｄ変換回路１０４は、放射線照射を伴う放射線画像データ撮影時に計測された各種パラメータを再現するような撮影動作により、放射線照射を伴わない暗示画像データを撮影する。Ｓ３０９で取得された暗示画像データは、メモリ１１１に記憶される。これにより、放射線画像データ撮影時とほぼ同一のダークノイズ成分が得られることになる。なお、暗示画像データの撮影は、放射線画像データ撮影直後に行われる。
【００４２】
Ｓ３１０でオフセット補正回路１０６は、メモリ１１１に記憶された暗示画像データを用いて放射線画像データに対するオフセット補正を実行する。これにより、第２の画像データが生成される。生成された第２の画像データは第１の画像データと同様、Ｓ３１１で暗号処理回路１０８にて暗号化された後、無線通信回路１０９からアクセスポイント２０１を介して制御用ＰＣ３０１に転送される。本実施形態では、放射線画像データ撮影後に暗示画像データを撮影したが、直前に撮影された暗示画像データを用いて、今回撮影された放射線画像データに対するオフセット補正を行うようにしてもよい。また、ゲイン補正や階調補正等、その他の補正処理をさらに放射線画像データに対して施し、これを第２の画像データとしてもよい。
【００４３】
第１の画像データは、放射線撮影システム１のユーザに対して、現在の撮影結果の概略をより早く伝えるためのものであり、診断に用いるには不十分な品質の画像データである。そのため、第１の画像データが誤って診断に用いられるのは避けなければならない。そこで、ディスプレイ３１０において、第１の画像データにはプログレスバーを重ねて表示し、現在表示中の第１の画像データがプレビュー画像データであることをユーザに対して明示し、注意喚起を行う。
【００４４】
次に、制御用ＰＣ３０１における第１の画像データ及び第２の画像データの表示処理について詳細に説明する。上述したように、本実施形態においては、第１の画像データの表示中において、第２の画像データがディスプレイ３１０に表示されるまでのプロセスの進行状況の指標として、プログレスバーを表示させるものである。
【００４５】
図４に示す枠画像データ４は、表示管理部３０７によってディスプレイ３１０に表示されるプログレスバーの一例である。プログレスバーである枠画像データ４は、撮影中の枠画像データ４１、画像処理中の枠画像データ４２、及び、通信中の枠画像データ４３により構成される。枠画像データ４１、４２及び４３では、各枠画像データの左端である４１ａ、４２ａ及び４３ａを始端とし、各枠画像データの右端である４１ｂ、４２ｂ及び４３ｂを終端とする、バー画像データ４４、４５及び４６が表示される。なお、本実施形態において、図５に示すように、枠画像データ４は、第１の画像データ内の所定の位置に重なるように合成して表示される。
【００４６】
図７は、第１の実施形態における表示管理部３０７の詳細な構成を示す図である。図７に示すように、表示管理部３０７は、受信容量計算部７０１、指標表示制御部７０２、記憶部７０３、及び、表示制御部７０４から構成される。なお、受信容量計算部７０１、指標表示制御部７０２及び表示制御部７０４は、制御用ＰＣ３０１内のＣＰＵがＲＯＭ等の記録媒体から必要なデータ及びプログラムを読み出して実行することにより実現する機能構成である。また、記憶部７０３は、制御用ＰＣ３０１内の例えばＲＡＭの一部記憶領域に相当する機能構成である。
【００４７】
図８に示す制御用ＰＣ３０１における第１の画像データ及び第２の画像データの表示処理に関するフローチャートを用いて説明する。先ず、Ｓ８０１で放射線照射スイッチ３１１が押下されると、Ｓ８０２でプログレスバーである枠画像データ４および撮影中の枠画像データ４１、画像処理中の枠画像データ４２、通信中の枠画像データ４３をディスプレイ３１０に表示する。表示における座標位置は、予め記憶部７０３において記憶されている。Ｓ８０３で指標表示制御部７０２は、撮影中のバー画像データ４４の生成を開始する。撮影中のバー画像データ４４は、放射線画像データのサイズに応じた所要撮影時間に対する、撮影開始の信号の受信から現在までの時間の割合を示す情報であり、撮影中の枠画像データ４１の枠内における所定の座標位置に表示される。なお、各放射線画像データのサイズに応じた所要撮影時間、及び、上記所定の座標位置は、予め記憶部７０３において記憶されている値である。
【００４８】
これにより、ディスプレイ３１０には、撮影中の枠画像データ４１の枠内に、撮影開始の信号の受信から現在までの時間に対応した長さの撮影中のバー画像データ４４が表示される。そして、時間の経過に伴って、撮影中のバー画像データ４４は、枠内の終端に向かって伸びていくことになる。
【００４９】
続いて、放射線画像撮影装置１０１にて放射線照射を伴わない暗示画像データの撮影が開始されると、無線通信回路１０９及びアクセスポイント２０１を介して、放射線画像撮影装置１０１から制御用ＰＣ３０１に対して画像処理開始の信号が伝送される。Ｓ８０４で表示管理部３０７において画像処理開始の信号が受信されると、Ｓ８０５で指標表示制御部７０２は、画像処理中のバー画像データ４５の生成を開始する。画像処理中のバー画像データ４５は、放射線画像データのサイズに応じた所要画像処理時間に対する、画像処理開始の信号の受信から現在までの時間の割合を示す情報であり、画像処理中の枠画像データ４２の枠内における所定の座標位置に表示される。なお、各放射線画像データのサイズに応じた所要画像処理時間、及び、上記所定の座標位置は、予め記憶部７０３において記憶されている情報である。
【００５０】
これにより、ディスプレイ３１０には、画像処理中の枠画像データ４２の枠内に、画像処理開始の信号の受信から現在までの時間に対応した長さの画像処理中のバー画像データ４５が表示される。そして、時間の経過に伴って、画像処理中のバー画像データ４５は、枠内の終端に向かって伸びていくことになる。Ｓ８０６で第１の画像データを制御用ＰＣ３０１で受信すると、Ｓ８０７で受信した第１の画像データにプログレスバーを重ねてディスプレイ３１０に出力する。
【００５１】
次に、Ｓ８０８で表示管理部３０７が第２の画像データの受信を開始すると、Ｓ８０９で受信容量計算部７０１は、受信した第２の画像データのデータ量（以下、受信容量値と称す）を算出する。例えばパケット通信方式を採用した場合、受信したパケットに含まれる画像データのデータ量が一定であれば、受信したパケット数×一定のデータ量（ビット数又はバイト数）を算出することにより、現在までの第２の画像データの受信容量値を得ることができる。パケットに含まれる画像データのデータ量が可変であれば、パケット内での画像データの先頭からＥＯＤ（エンドオブデータ）を示すコードまでのデータ量を算出することにより、１つのパケットにおける画像データのデータ量を算出することができる。この計算を、パケットを受信する度に行い、且つ、累積することにより、現在までの第２の画像データの受信容量値を得ることができる。また、パケットのヘッダに当該パケットに格納される画像データのデータ量情報が含まれる場合、パケットを受信する度に、各パケットに含まれるデータ量情報を累積することにより、現在までの第２の画像データの受信容量値を得ることができる。なお、現在までの第２の画像データの受信容量値は、記憶部７０３に格納される。
【００５２】
Ｓ８１０で指標表示制御部７０２は、放射線画像撮影装置１０１からの最大送信容量値に対する現在までの受信容量値の割合を求め、通信中の枠画像データ４３の枠内にその割合に応じたバー画像データ４６を生成する。そして、指標表示制御部７０２は、通信中の枠画像データ４３の表示位置を示す座標データとともにディスプレイ３１０に出力する。これにより、ディスプレイ３１０では、通信中の枠画像データ４３の枠内において、現在までの受信容量値に対応した長さの通信中のバー画像データ４６が表示される。そして、時間の経過に伴って、放射線検出装置１０からの画像データの受信容量値が増えていくことから、通信中のバー画像データ４６は、枠内の終端に向かって伸びていくことになる。
【００５３】
Ｓ８１１で指標表示制御部７０２は、受信容量計算部７０１で算出された第２の画像データの受信容量値が最大送信容量値と等しくなり、第２の画像データの受信を完了したことを確認すると、Ｓ８１２で受信した第２の画像データをディスプレイ３１０に出力すると同時に、Ｓ８１３で枠画像データ４及び撮影中の枠画像データ４１、画像処理中の枠画像データ４２、通信中の枠画像データ４３バー画像データ４４、４５及び４６の表示を全て停止し、非表示にする（終了する）。これにより、ディスプレイ３１０には、第２の画像データが表示される際には、プログレスバーが重なることなく、第２の画像データのみが表示されることになる。
【００５４】
本実施形態では、予め設定された位置に枠画像データ４を表示させるようにしているが、これに限定されない。即ち、ユーザからの指定入力を受け付ける入力部を構成に追加して、ユーザにより指定された位置に枠画像データ４を表示させるようにしてもよい。また、本実施形態では、枠画像データ４を第１の画像データに重畳して表示させているが、これに限定されない。即ち、枠画像データ４の表示位置は、ディスプレイ３１０の表示画面内であれば任意の場所でよく、例えば第１の画像データの表示領域外でもよい。
【００５５】
本実施形態では放射線同期モードでの動作で説明したが、放射線自動検出モードでの撮影で行っても構わない。その際の放射線画像撮影装置１０１のブロック図を図１２に示す。図１２において、図２に示した構成と同一の構成については、図２と同一の符号を付している。即ち、放射線同期モードでの放射線画像撮影装置１０１に放射線自動検出回路１２０１が追加されたものである。放射線自動検出回路１２０１は、２次元に配列された光電変換素子１０２の電流量の積算値をモニタし、その電流変化が所定の閾値を超えた際に放射線が入射されたと検出する。また、動作モードによってプログレスバーの表示、非表示を切り替えてもよい。
【００５６】
また、本実施形態では、第１の画像データに重なるようにプログレスバーを表示することにより、第１の画像データがプレビュー画像データであることをユーザに対して注意喚起しているが、これに限定されない。例えば、砂時計や「プレビュー画像」という文字列を第１の画像データに重ねてもよい。また、第１の画像データの枠及び背景色を変更したり、第２の画像データの明暗を反転（ネガポジ反転）したりして、プレビュー画像データの表示中であることをユーザに明示してもよい。さらに、本実施形態においては、ダークノイズ補正等の画像処理を放射線画像撮影装置１０１側で行うようにしているが、これに限らず、制御用ＰＣ３０１側で行う、あるいは画像撮影装置１０１、制御用ＰＣ３０１の両者で行うようにしてもよい。その際、本実施形態では、プログレスバーの一例を撮影中、画像処理中、通信中に分けて表示したが、制御用ＰＣ３０１側で高画質化等のためにＣＰＵ３１３にて画像処理を行う場合は、第２の画像データを表示するまでに更に時間を要する。そこで、図１１に示すように制御用ＰＣ３０１側での画像処理中の表示もあわせて行ってもよい。
【００５７】
以上により、第１の実施形態によれば、第１の画像データと第２の画像データとを異なる表示態様で表示させることにより、誤って第１の画像データが診断に用いられることを防ぐことが可能となる。
【００５８】
次に、本発明の第２の実施形態について説明する。第２の実施形態に係る放射線撮影システムの構成は、図１、図２に示した構成と同様であるが、表示管理部３０７の構成が第１の実施形態とは異なる。以下では、第１の実施形態と相違する点に主眼をおいて説明を行うものとする。
【００５９】
図１０は、第２の実施形態における表示管理部１００７の詳細な構成を示す図である。なお、図１０において、図７に示した構成と同一の構成については、図７と同一の符号を付している。即ち、第２の実施形態における表示管理部１００７は、第１の実施形態における表示管理部３０７に対し、情報入力表示制御部１００５及び画像処理部１００６を追加したものである。なお、情報入力表示制御部１００５及び画像処理部１００６は、制御用ＰＣ３０１内のＣＰＵがＲＯＭ等の記録媒体から必要なデータ及びプログラムを読み出して実行することにより実現する機能構成である。
【００６０】
第２の実施形態における第１及び第２の画像データの取得処理及び表示処理は、第１の実施形態と同様であるため、ここでは説明を省略する。以下、図１０及び図６を参照しながら、ディスプレイ３１０における表示画面について説明する。
【００６１】
図６は、ディスプレイ３１０における表示画面の一例を示す図である。図６に示すように、ディスプレイ３１０における表示画面６０は、画像表示領域６１、各種の画像処理ボタン６２、及び、再撮影ボタン６３を備える。画像表示領域６１は、放射線画像撮影装置１０１で撮影される第１の画像データ及び第２の画像データが表示される領域であり、第１の実施形態で説明したプログレスバー等も表示可能である。各種の画像処理ボタン６２は、表示された画像データについてユーザが画像処理を施すためのボタンであり、例えば、輝度やコントラストの調整ボタン６２１２、指定領域の拡大縮小ボタン６２２、及び、左右反転ボタン６２３等が挙げられる。写損ボタン６４は、表示された撮影画像データについて、撮影時の露光が適正であったか、又は、部位を的確な角度で撮影したか等の撮影状態を確認した後、写損が確認できた場合、現在処理中の画像処理を中止するためのボタンである。再撮影ボタン６３は、写損ボタン６４が操作され、画像処理が中止された場合に、撮影のための各種パラメータの再設定等の再撮影のための準備を行うためのボタンである。
【００６２】
上記各種パラメータとしては、例えば、撮影部位に応じた撮影に関するパラメータである線量や蓄積時間、撮影部位に応じた各種画像処理パラメータ等が挙げられる。放射線曝射スイッチ３１１が押下されると、表示管理部１００７に撮影開始の信号が伝送される。表示管理部１００７が撮影開始の信号を受信すると、情報入力表示制御部１００５は、各種の画像処理ボタン６２、再撮影ボタン６３及び写損ボタン６４を押下不可能な状態で表示する。
【００６３】
表示管理部１００７は、有線通信回路３０５から第１の画像データの受信を完了し、ディスプレイ３１０の画像表示領域６１に第１の画像データの表示を開始する。これを受けて、情報入力表示制御部１００５は、各種の画像処理ボタン６２を引き続き押下不可能として表示するが、再撮影ボタン６３及び写損ボタン６４を押下可能な表示に変更する。そして、再撮影ボタン６３及び写損ボタン６４がユーザに押下された場合、再撮影処理の機能が有効となる。
【００６４】
再撮影ボタン６３及び写損ボタン６４がユーザに押下されると、再撮影の信号及び記憶部７０３に記憶された再撮影時の各種パラメータが有線通信回路３０５及びアクセスポイント２０１、無線通信回路１０９を介して放射線画像撮影装置１０１に伝送される。放射線画像撮影装置１０１は、再撮影の信号を受信すると、内部の回路では、現在処理中の画像データに関する処理を中止するとともに、伝送された各種パラメータの再設定を行う。
【００６５】
表示管理部１００７が有線通信回路３０５及びアクセスポイント２０１、無線通信回路１０９を介して第２の画像データを受信すると、表示制御部７０４は、各種の画像処理ボタン６２についても押下可能な表示へと変更する。また、表示管理部１００７は、画像処理部１００６に関する各種の画像処理の機能を有効とする。
【００６６】
これにより、誤って第１の画像データが診断に用いられることがないよう、各種の画像処理を第１の画像データには行えないよう制御される。また、第１の画像データを確認することで写損と判断された場合、速やかに第１の画像データの再撮影の準備に遷移できるようになる。
【００６７】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００６８】
１０１  放射線画像撮影装置、１０２  光電変換素子、１０３  駆動回路、１０４  Ａ／Ｄ変換回路、１０５  駆動制御回路、１０６  オフセット補正回路、１０７  画像圧縮回路、１０８  暗号処理回路、１０９  無線通信回路、１１０  ＣＰＵ、１１１  メモリ、１１２  電源制御回路、１１３  動作モード制御回路、１１４  機能情報メモリ、２０１  アクセスポイント、２０２  無線通信回路、２０３  暗号処理回路、２０５  有線通信回路、２０６  ＣＰＵ、２０７  メモリ、３０１  制御用ＰＣ、３０２  放射線発生装置制御部、３０３  撮影制御部、３０４  外部記憶装置、３０５  有線通信回路、３０６  ＲＡＭ、３０７  表示制御部、３０８  操作パネル制御部、３０９  操作パネル、３１０  ディスプレイ、３１１  Ｘ線照射スイッチ、３１２  操作者、３１３  ＣＰＵ、３１６  患者、３１８  動作モード設定部、４０１  放射線制御装置、４０２  放射線発生装置
【図１】
2014171532.tif 000003
【図２】
2014171532.tif 000004
【図３】
2014171532.tif 000005
【図４】
2014171532.tif 000006
【図５】
2014171532.tif 000007
【図６】
2014171532.tif 000008
【図７】
2014171532.tif 000009
【図８】
2014171532.tif 000010
【図９】
2014171532.tif 000011
【図１０】
2014171532.tif 000012
【図１１】
2014171532.tif 000013
【図１２】
2014171532.tif 000014